(57)【要約】【課題】ＰＣＲを非受信または非正常に受信している時に、ＳＴＣを必要な精度で再生でき、高品位な映像や音声を出力可能な放送受信装置を提供する。【解決手段】放送受信装置100は、ＴＳストリームからＰＣＲを検出し、ＰＣＲ値とＰＣＲ検出信号を出力するＰＣＲ抽出部111と、固定周波数のクロック信号をカウンタ116でカウントした値をＰＣＲ値に換算して擬似ＰＣＲ値を出力する擬似ＰＣＲ生成部117と、ＰＣＲ値と擬似ＰＣＲ値の一方を選択する選択部122と、選択部122の出力値とＳＴＣクロック数をカウンタ115でカウントした値を比較して、ＳＴＣクロック制御信号として出力するＳＴＣクロック制御信号発生部114と、入力するＴＳデータから所定の識別子又はデータパターン識別して出力するＴＳ処理装置131と、入力するＰＣＲを含まないＴＳデータ以外の特定のデータを識別して出力するホストプロセッサ132と、を備える。【選択図】図１
2011234118.tif 000002
【特許請求の範囲】
【請求項１】
放送番組が符号化されたＴＳデータとしてパケット単位にて伝送され、これを受信する放送受信装置であって、
前記ＴＳデータのストリームからＰＣＲを検出し、ＰＣＲ値を検出したことを示すＰＣＲ検出信号と、ＰＣＲ値を出力するＰＣＲ抽出部と、
固定周波数のクロック信号を入力してクロック数をカウントし、特定のカウント数に達したときに、カウント更新を示すカウント更新信号を出力する第１のカウンタと、
前記第１のカウンタでカウントした値をＰＣＲ値に換算して、擬似ＰＣＲ値として出力する擬似ＰＣＲ生成部と、
前記ＰＣＲ検出信号と前記カウント更新信号のいずれかを選択してトリガ信号として出力する第１の選択部と、
前記ＰＣＲ値と前記擬似ＰＣＲ値のいずれかを選択して出力する第２の選択部と、
ＳＴＣクロック数をカウントする第２のカウンタと、
前記第２の選択部により出力された値と前記第２のカウンタでカウントしたＳＴＣカウント値を前記トリガ信号のタイミングで比較して、比較結果をＳＴＣクロック制御に反映させるためのＳＴＣクロック制御信号として出力するＳＴＣクロック制御信号発生部と、
入力する前記ＴＳデータのパケットから所定の識別子又はデータパターンを有するパケットを識別して出力するＴＳ処理装置と、
入力するＰＣＲを含まないＴＳデータ以外の特定のデータを識別して出力するホストプロセッサと、
前記ＴＳ処理装置又は前記ホストプロセッサから出力されたデータのうち、映像データを復号化するビデオデコーダと、
前記ＴＳ処理装置又は前記ホストプロセッサから出力されたデータのうち、音声データを復号化するオーディオデコーダと、
を具備することを特長とする放送受信装置。
【請求項２】
放送信号を受信し、ベースバンド信号に変換するチューナと、
前記ベースバンド信号を復調処理してＰＣＲを含んだＴＳデータを復元する復調器と、
前記第１のカウンタへ入力する周波数一定の前記クロック信号を発生する固定クロック発振器と、
前記ＳＴＣクロック制御信号発生部から出力される前記ＳＴＣクロック制御信号に基づき周波数が制御されるＳＴＣクロックを生成するＳＴＣクロック生成部と、
をさらに具備したことを特徴とする請求項１に記載の放送受信装置。
【請求項３】
前記ＳＴＣクロック制御信号発生部から出力される前記ＳＴＣクロック制御信号は、ＰＷＭ制御信号であり、
前記ＳＴＣクロック生成部は、前記ＳＴＣクロック制御信号発生部からの前記ＰＷＭ制御信号を平滑するローパスフィルタと、該ローパスフィルタから出力される平滑電圧を制御電圧として入力し、該制御電圧に応じた周波数の前記ＳＴＣクロックを生成する電圧制御発振器と、を備えたことを特徴とする請求項２に記載の放送受信装置。
【請求項４】
前記擬似ＰＣＲ生成部は、前記第１のカウンタでカウントした値をＰＣＲ値に換算する換算部と、該換算部で換算した擬似ＰＣＲ値を一時的に保持し出力する擬似ＰＣＲレジスタと、を備えたことを特徴とする請求項１に記載の放送受信装置。
【請求項５】
前記ＰＣＲを含まないＴＳデータ以外の特定のデータは、記録媒体からの信号ラインまたはイーサネット（登録商標）プロトコルの信号ラインから入力されるデータであることを特徴とする請求項１に記載の放送受信装置。
【発明の詳細な説明】
【技術分野】
【０００１】
本発明の実施形態は、ＰＣＲを非受信または非正常に受信をしている状態でも、ＳＴＣを必要な精度で再生し、映像や音声を高品位に出力することができる放送受信装置に関する
【背景技術】
【０００２】
デジタル放送受信装置（以下単に、放送受信装置）において、その放送ストリーム（Transport Stream、以下ＴＳ）に適応されているＭＰＥＧ２（Moving Picture Expert Group 2の略）規格にある通り、通常、送信側の放送局より伝送されてくるＰＣＲ（Program Clock Referenceの略）を基に２７ＭＨｚを復元し、これを基準に映像、音声データを復号することによって、放送番組を再生できる。なお、復元された２７ＭＨｚ、或いは、このクロックで動作するカウンタの値をＳＴＣ（System Time Clockの略）と呼ぶ。復元された２７ＭＨｚをカウンタ値と明確に区別するために、ＳＴＣクロックと表現する場合もある。
【０００３】
また、ＴＳは188バイトのパケット（以下、ＴＳパケット）の集合体として構成されており、ＴＳのそれぞれのパケットに識別子ＰＩＤ（Packet Identifier）を持たせ、映像や音声など様々なパケットデータを多重伝送できるようになっている。  
放送受信装置では、送信されてくる放送データＴＳの各パケットに含まれているＰＣＲを検出して、ＰＣＲの値とＶＣＸＯ（電圧制御水晶発振器：Voltage Controlled Xtal Oscillatorの略）からのＳＴＣクロックでカウントしたカウンタ値とを比較し、その差分をＶＣＸＯにフィードバックしてＶＣＸＯが出力するＳＴＣクロックの周波数を調整することによって、放送局側のクロックと受信側のクロックとの同期をとる。
【０００４】
しかしながら、放送を受信していないとき、あるいは、放送局から送信されるＰＣＲのジッタが大きいとき、受信装置のＳＴＣクロックは不安定になる(精度が悪化する)。ＳＴＣクロックは放送局側と同期をとる目的だけではなく、映像や音声を出力するための基準クロックにも用いられるため、ＳＴＣクロックの精度が悪化すると、映像、音声の品位が下がるという問題がある。
【０００５】
この対策として、例えば、ＶＣＸＯの制御範囲が狭く、制御電圧のセンター電圧付近で出力周波数が安定するような特性を持つＶＣＸＯや、ＰＷＭ制御を停止した際に出力周波数が固定値となるようなＶＣＸＯをＶＣＸＯメーカーと共同で開発してＳＴＣクロックの精度を保証する方法がある。しかし、このようなＶＣＸＯ開発はコストアップ要因となる。
【０００６】
従って、上記のような高価なＶＣＸＯを開発せずに、放送非受信時やＰＣＲ不安定時にＳＴＣクロックの精度を確保できることが要望される。
【先行技術文献】
【特許文献】
【０００７】
【特許文献１】特開２００９−２００９３８号公報
【発明の概要】
【発明が解決しようとする課題】
【０００８】
本発明は上記の問題に鑑み、ＰＣＲを非受信または非正常に受信をしているときに、ＳＴＣを必要な精度で再生し、映像や音声を高品位に出力することができる放送受信装置を提供することである。
【課題を解決するための手段】
【０００９】
本発明の実施形態の放送受信装置は、放送番組が符号化されたＴＳデータとしてパケット単位にて伝送され、これを受信する放送受信装置であって、前記ＴＳデータのストリームからＰＣＲを検出し、ＰＣＲ値を検出したことを示すＰＣＲ検出信号と、ＰＣＲ値を出力するＰＣＲ抽出部と、固定周波数のクロック信号を入力してクロック数をカウントし、特定のカウント数に達したときに、カウント更新を示すカウント更新信号を出力する第１のカウンタと、前記第１のカウンタでカウントした値をＰＣＲ値に換算して、擬似ＰＣＲ値として出力する擬似ＰＣＲ生成部と、前記ＰＣＲ検出信号と前記カウント更新信号のいずれかを選択してトリガ信号として出力する第１の選択部と、前記ＰＣＲ値と前記擬似ＰＣＲ値のいずれかを選択して出力する第２の選択部と、ＳＴＣクロック数をカウントする第２のカウンタと、前記第２の選択部により出力された値と前記第２のカウンタでカウントしたＳＴＣカウント値を前記トリガ信号のタイミングで比較して、比較結果をＳＴＣクロック制御に反映させるためのＳＴＣクロック制御信号として出力するＳＴＣクロック制御信号発生部と、入力する前記ＴＳデータのパケットから所定の識別子又はデータパターンを有するパケットを識別して出力するＴＳ処理装置と、入力するＰＣＲを含まないＴＳデータ以外の特定のデータを識別して出力するホストプロセッサと、前記ＴＳ処理装置又は前記ホストプロセッサから出力されたデータのうち、映像データを復号化するビデオデコーダと、前記ＴＳ処理装置又は前記ホストプロセッサから出力されたデータのうち、音声データを復号化するオーディオデコーダと、を具備している。
【図面の簡単な説明】
【００１０】
【図１】本発明の一実施形態の放送受信装置を示すブロック図。
【図２】図１における同期処理部及びその周辺部分を示すブロック図。
【図３】マスタークロックのカウンタ出力の換算例を示す図。
【発明を実施するための形態】
【００１１】
以下、本発明の実施の形態について図面を参照して詳細に説明する。  
図１は本発明の一実施形態の放送受信装置を示すブロック図である。  
図１において、放送受信装置100は、同期処理部110と、デコード部130と、チューナ140と、復調器150と、マスタークロック発振器160と、ＳＴＣクロック生成部170と、ディスクドライブ180と、イーサネット（登録商標）Ｉ／Ｆ190とを備える。ＳＴＣクロック生成部170は、例えば、ＬＰＦ 171と、ＶＣＸＯ 172とを備える(図２参照)。なお、ディスクドライブ180は、記録媒体としてのディスク(例えばＤＶＤ)300に接続してディスク300を再生可能であり、またイーサネット（登録商標）Ｉ／Ｆ190は、インターネット400に接続してインターネットライン上の各種の映像及び音声情報並びに文字情報を取得可能となっている。
【００１２】
本実施形態ではＤＶＤやイーサネット（登録商標）を挙げているが、コンテンツ供給元としては、ハードディスク(ＨＤＤと略記)やＳＤカード、ＰＣＩ, ＰＣＩｅなど多数あるので、ＤＶＤやイーサネット（登録商標）に限定するものではない。
【００１３】
放送受信装置100は、放送局から放送番組が符号化されたＴＳデータとしてパケット単位にて伝送されてきたデジタル放送信号を受信する。つまり、無線周波数によるストリームデータがアンテナ200を介してチューナ140に入力される。チューナ140は、入力された無線周波数の信号から特定のチャンネルを選局し、ベースバンド信号に変換して復調器150に出力する。復調器150は、入力されたベースバンド信号を復調処理してＴＳストリームを復元し、これを同期処理部110を介してデコード部130に出力する。
【００１４】
同期処理部110の構成については、後に図２にて述べることにし、まずデコード部130の構成について説明する。  
デコード部130は、ＴＳ処理装置131と、ホストプロセッサ132と、ビデオデコーダ133と、オーディオデコーダ134と、これらの回路部を接続するデータバス135とを備える。
【００１５】
ＴＳ処理装置131は、入力するＴＳデータのパケットから所定の識別子又はデータパターンを有するパケットを識別して出力する。  
ホストプロセッサ132は、入力として供給されるＰＣＲを含まないＴＳデータ以外の特定のデータを識別して出力する。ＰＣＲを含まないＴＳデータ以外の特定のデータとは、例えばDVDなどの記録媒体に記録されるＭＰＥＧ２方式のPSデータや、インターネットのイーサネット（登録商標）プロトコルのデータなどである。
【００１６】
ビデオデコーダ133は、ＴＳ処理装置131又はホストプロセッサ132から出力されたデータのうち、映像データを復号化する。  
オーディオデコーダ134は、ＴＳ処理装置131又はホストプロセッサ132から出力されたデータのうち、音声データを復号化する。
【００１７】
次に、同期処理部110の構成について図２を参照して説明する。  
同期処理部110は、ＰＣＲ抽出部111と、第１のカウンタ116と、擬似ＰＣＲ生成部117と、第１の選択部121と、第２の選択部122と、第２のカウンタとしてのＳＴＣカウンタ115と、ＳＴＣクロック制御信号発生部114とを備える。
【００１８】
ＰＣＲ抽出部111は、ＴＳデータのストリームからＰＣＲを検出し、ＰＣＲ値を検出したことを示すＰＣＲ検出信号と、ＰＣＲ値とを出力する。ＰＣＲ抽出部111は、ＴＳデータのストリームからＰＣＲを検出し、ＰＣＲ値を検出したことを示すＰＣＲ検出信号を出力するＰＣＲ検出部112と、このＰＣＲ検出部112で検出したＰＣＲ値を一時的に保持し出力するＰＣＲレジスタ113と、を備えている。
【００１９】
第１のカウンタ116は、固定周波数のクロック信号を入力してクロック数をカウントし、特定のカウント数に達したときに、カウント更新を示すカウント更新信号を出力する。固定周波数のクロック信号としては、既存のマスタークロック信号を用いる。  
擬似ＰＣＲ生成部117は、第１のカウンタ116でカウントした値をＰＣＲ値に換算して、擬似ＰＣＲ値として出力する。擬似ＰＣＲ生成部117は、第１のカウンタ116でカウントした値をＰＣＲ値に換算する換算部としてのテーブル部118と、テーブル部118で換算した擬似ＰＣＲ値を一時的に保持し出力する擬似ＰＣＲレジスタ119と、を備えている。
【００２０】
第１の選択部121は、デコード部130からの制御信号に基づいて、ＰＣＲ検出部112からのＰＣＲ検出信号と第１のカウンタ116からのカウント更新信号のいずれかを選択してトリガ信号として出力する。  
第２の選択部122は、デコード部130からの制御信号に基づいて、ＰＣＲレジスタ113からのＰＣＲ値と擬似ＰＣＲレジスタ119からの擬似ＰＣＲ値のいずれかを選択して出力する。第１及び第２の選択部121及び122で用いられる２つの制御信号は例えば同じタイミングの制御信号である。
【００２１】
第２のカウンタであるＳＴＣカウンタ115は、ＳＴＣクロック生成部170を構成するＶＣＸＯ172からのＳＴＣクロック数をカウントする。  
ＳＴＣクロック制御信号発生部114は、例えばＰＷＭ制御部で構成され、第２の選択部122により出力された値とＳＴＣカウンタ115でカウントしたＳＴＣカウント値を第１の選択部121からのトリガ信号のタイミングで比較して、比較結果をＰＷＭ制御に反映させるためのＳＴＣクロック制御信号としてＰＷＭ制御信号を出力する。
【００２２】
さらに、同期処理部110の周辺には、マスタークロック発振器160とＳＴＣクロック生成部170が配設されている。  
マスタークロック発振器160は、放送受信装置100内にある既存の基準発振器となるものであって、そのクロック信号は第１のカウンタ116へ供給されている。マスタークロック発振器160は、放送受信装置100内で用いられる各種クロックの基準となる一定周波数の比較的精度の高いマスタークロックを発生する固定発振器である。マスタークロックとしては、例えば、規格として比較的高い精度を有するＵＳＢ(Universal Serial Busの略) 用の１２ＭＨｚのクロックが用いられる。このマスタークロックは、そのままＵＳＢに用いたり、ＰＬＬで高い周波数に上げて例えばＣＰＵ用クロックとして用いたりする。
【００２３】
ＳＴＣクロック生成部170は、ＳＴＣクロック制御信号発生部114から出力される例えばＰＷＭ制御信号に基づき周波数的に制御可能なＳＴＣクロックを生成する。ＳＴＣクロック生成部170は、ＳＴＣクロック制御信号発生部114からのＰＷＭ制御信号を平滑するローパスフィルタ171と、ローパスフィルタ171から出力される平滑化された電圧を制御電圧として入力し、この制御電圧に応じた周波数のＳＴＣクロックを生成する電圧制御水晶発振器(ＶＣＸＯ)１７２と、を備えている。
【００２４】
次に、図1及び図２の回路動作を説明する。  
デジタル放送信号をアンテナ200などで受信し、チューナ140で選局し、中間周波数(IF)として復調器150に入力する。復調器150で復調されたＴＳストリームは、同期処理部110、及びデコード部130を経由して映像出力、音声出力として出力される。
【００２５】
デジタル放送信号の受信中は、復調器150で復調されたＴＳデータは、同期処理部110内のＰＣＲ検出部112を通過してデコード部130内のＴＳ処理装置131に供給されるので、デコード部130は現在、放送信号を受信中か否かを認識している。従って、例えばアンテナ線がチューナ140から抜けて接続していなかった場合は、デコード部130は放送信号が受信されていないこと、即ちＰＣＲを受信していないことを認識することができる。
【００２６】
このようなＰＣＲを含んだ放送信号を受信中であるか否かの認識を示す信号が制御信号として、デコード部130から同期処理部110内の第１及び第２の選択部121及び122に供給される。この制御信号が放送信号の受信中を示す信号であれば、第１の選択部121はＰＣＲ検出部112からのＰＣＲ検出信号を選択してトリガ信号として出力し、第２の選択部122はＰＣＲレジスタ113からのＰＣＲ値を選択して出力する。また、デコード部130からの制御信号が放送信号を受信していないことを示す信号であれば、第１の選択部121はマスタークロック用のカウンタ116からのカウント更新信号を選択してトリガ信号として出力し、第２の選択部122は擬似ＰＣＲ生成部117からの擬似ＰＣＲ値を選択して出力する。
【００２７】
ＳＴＣクロック制御信号発生部114では、放送信号の受信中は、即ちＰＣＲを受信しているときは、第１の選択部121で選択されたＰＣＲ検出信号のタイミングで、第2の選択部122で選択されたＰＣＲ値とＳＴＣカウンタ115からのＳＴＣ値とが比較される。そして、放送信号を受信していないとき、即ちＰＣＲを受信していないときは、第１の選択部121で選択されたカウント更新信号のタイミングで、第2の選択部122で選択された擬似ＰＣＲ値とＳＴＣカウンタ115からのＳＴＣ値とが比較される。
【００２８】
いずれにしても、放送局側との同期をとるため、同期処理部110内のＳＴＣクロック制御信号発生部114であるＰＷＭ制御部では、ＰＣＲ値とＳＴＣ値との差分をＰＷＭ制御信号として出力し、ＬＰＦ 171を通してＶＣＸＯ 172を制御することにより、ＶＣＸＯ 172から出力されるＳＴＣクロックの周波数が微調整される。その結果、放送信号を受信中は、ＰＣＲ値を用いて放送局側とのクロック同期をとり、放送信号を受信していないときは、擬似ＰＣＲ値を用いてＳＴＣクロックを生成する。
【００２９】
図３はマスタークロックを１２ＭＨｚとした場合の換算表の一例を示している。  
放送信号の非受信時には、マスタークロック(例えば１２ＭＨｚ)でカウントするカウンタ116 でＰＣＲ送信間隔とほぼ同等の時間をカウントし、その所定のカウントに達した時点でカウント更新信号を生成して、擬似ＰＣＲレジスタ119を更新する。同時に、そのカウント更新信号をトリガ信号としてＳＴＣクロック制御信号発生部114に供給することによって、ＳＴＣクロック制御信号発生部114での擬似ＰＣＲ値とＳＴＣ値との比較動作のタイミングをとっている。換算部としてのテーブル部118は、カウンタ116での１２ＭＨｚマスタークロックでカウントしたカウント値を、ＳＴＣクロックと同等の２７ＭＨｚクロックでカウントした値に換算する。その換算した値は擬似ＰＣＲレジスタ119に書き込まれる。
【００３０】
図３で、マスタークロックのＳＴＣクロック換算例を具体的に説明する。  
マスタークロックを１２ＭＨｚとした場合、カウンタ116においてマスタークロックを400,000カウント毎にカウント更新フラグを立て、テーブル部118にて擬似ＰＣＲ値を更新する。ＳＴＣクロック換算で、900,000カウント毎にＰＣＲを受信するのと同等のＰＷＭ制御が可能になる。ＳＴＣカウンタ115は、通常は２７ＭＨｚクロックをカウント(数値化)している。ＰＣＲについては、100msec以内に一度以上はＰＣＲが到来する。日本のＩＳＤＢ−Ｔや米国のＡＴＳＣではフレーム周期(約33msec)に1回、ＰＣＲが来るというのが通常である。ＰＣＲを受信したときのＳＴＣの値をみてＰＣＲの方が進んでいると、ＳＴＣを速くしなければならないので、ＰＷＭを制御してＶＣＸＯの制御電圧を上げる。すると、ＶＣＸＯの周波数が高くなるので、次にＰＣＲを受信したときにＳＴＣはＰＣＲにより近づいている。このようにして、ＳＴＣは徐々にＰＣＲに追従するように近づいていく。追従させる度合いを調整し、ＶＣＸＯが出力するＳＴＣクロックの周波数をゆるやかにＰＣＲに合わせるようにする。放送受信装置では、通常は放送受信中のＰＣＲ値と装置内のＳＴＣ値とを比較している。
【００３１】
しかし、放送信号の受信が無くなり、ＰＣＲが受信されなくなった場合、カウンタ116でマスタークロックをカウントする。カウンタ116は例えば33msecごとにカウントアップするとしたならば、マスタークロックは装置内の他のシステムにも使用されるので、例えば１２ＭＨｚクロックとなっており、１２ＭＨｚのマスタークロックで400,000カウントすると、それは２７ＭＨｚのＳＴＣクロックで900,000カウントしたのに相当する。つまり、スタート時から33msec後、１２ＭＨｚマスタークロックのカウント数400,000が２７ＭＨｚＳＴＣクロックのカウント数900,000に換算され、さらに33msec(スタート時から66msec)経過後は、１２ＭＨｚマスタークロックのカウント数800,000が２７ＭＨｚＳＴＣクロックのカウント数1800,000に換算され、さらに33msec(スタート時から100msec)経過後は、１２ＭＨｚマスタークロックのカウント数1200,000が２７ＭＨｚＳＴＣクロックのカウント数に2700,000に換算され、各33msec経過後ごとに擬似ＰＣＲレジスタ119を更新して保持される。ＳＴＣクロック信号発生部114では、各33msec経過後ごとに擬似ＰＣＲレジスタ119のカウント数(擬似ＰＣＲ値)と、ＶＣＸＯ172で周波数調整して出力されたＳＴＣクロックをＳＴＣカウンタ115でカウントしたカウント数(ＳＴＣ値)とが比較され、その差分がＰＷＭ制御信号としてＬＰＦ171を介してＶＣＸＯ172にフィードバックされ、擬似ＰＣＲ値とＳＴＣ値との差分が０となるようにＳＴＣ値、即ちＳＴＣクロック周波数が調整されることになる。なお、換算部としてのテーブル部118の代わりに、図３に示すように33msecごとに入力の１２ＭＨｚマスタークロックのカウント数に対して２７ＭＨｚＳＴＣクロックのカウント数に換算する計算回路を用いる構成としてもよい。
【００３２】
上記の実施形態では、放送信号を受信しデコードしている場合は、放送信号中のＰＣＲを用い、アンテナケーブルが放送受信装置から外れたり、省エネモードでチューナの電源もオフしているような場合は、放送非受信、即ちＰＣＲが受信されないので、マスタークロック発振器のような放送受信装置に既存の固定クロック発振器のクロックに基づいて生成した擬似ＰＣＲ値を用い、ＳＴＣを再生することができる。
【００３３】
本実施形態の効果としては、放送非受信時はマスタークロックに基づきＰＣＲ値に換算した擬似ＰＣＲ値を用いるので、ＳＴＣクロックの変動範囲を一定の範囲内に抑えることができる。また、従来行っていた高価なＶＣＸＯを用いた周波数特性の調整は不要になる。さらに、既存クロックを利用するため、新たな外部クロックの追加は不要であり、低コストで済む。入力として供給されるＰＣＲを含まないＴＳデータ以外の特定のデータ、例えばＤＶＤなどの記録媒体のからの再生信号やインターネットからのイーサネット（登録商標）信号を入力し再生表示する際にも、映像や音声の再生に必要なＳＴＣをマスタークロックに基づき必要な精度で取得することが可能となる。
【００３４】
更に付け加えると、高性能ではない(安価な)ＶＣＸＯを用いても、比較的精度の高いマスタークロックに基づき擬似ＰＣＲ値を生成して、ＳＴＣの変動を抑制することが可能で、チャネル切替直後や受信停止中の映像、音声の品位低下を抑制できる。  
固定の２７ＭＨｚをＳＴＣクロックとして使用する場合、従来は外部から固定のクロックを入力するか、内部の他の周波数からＰＬＬおよび分周器で生成していたが、本発明の実施形態により既存の固定基準クロックに同期した２７ＭＨｚを生成可能なので、外部ピン数の削減またはＰＬＬなどの内蔵モジュールの削減が可能となる。
【００３５】
以上述べた本発明の実施形態は、アンテナケーブルが外れる等の放送信号が受信されない場合にも、必要な精度のＳＴＣを取得可能にするものであったが、本発明の他の実施形態として、放送信号に含まれるＰＣＲが不安定な場合(ＰＣＲのジッタが大きいときなど)を検出して、マスタークロックに基づく擬似ＰＣＲに切り替えることにより、必要な精度のＳＴＣを再生し、品位の高い映像や音声を提供することも可能である。
【００３６】
具体的には、ＰＣＲの不安定をデコード部130で検出し、その検出結果が閾値を超えるものであったときは、デコード部130からの制御信号によって例えばマスタークロックに基づく擬似ＰＣＲ値を生成して、必要な精度のＳＴＣを再生することにより、品位の高い映像や音声を提供できるように構成することが可能である。このように構成すれば、ＰＣＲが不安定な放送局に対応するために、新たに２７ＭＨｚの固定発振器を外部から接続するための固定クロック入力端子を設けることが不要になる利点がある。
【００３７】
従って、本発明によれば、放送信号の受信／非受信(ＰＣＲの有無)やＰＣＲの安定／不安定にかかわらず必要な精度のＳＴＣを再生でき、放送受信装置として受信の有無及び受信品位の良否を含めた各種の受信状態に対応して、常に品位の高い映像や音声の再生が可能な放送受信装置を実現することが可能となる。
【００３８】
尚、以上述べた実施形態では、マスタークロックを１２ＭＨｚとした例を挙げているが、もちろん１２ＭＨｚに限定するわけではなく、当該受信装置で必須で使われているクロックならば周波数を問わない。
【符号の説明】
【００３９】
１００…放送受信装置、１１０…同期処理部、１１１…ＰＣＲ抽出部、１１２…ＰＣＲ検出部、１１３…ＰＣＲレジスタ、１１４…ＳＴＣクロック制御信号発生部、１１５…ＳＴＣカウンタ(第２のカウンタ)、１１６…第１のカウンタ、１１７…テーブル部、１１９…擬似ＰＣＲレジスタ、１２１…第１の選択部、１２２…第２の選択部、１３０…デコード部、１３１…ＴＳ処理部、１３２…ホストプロセッサ、１３３…ビデオデコーダ、１３４…オーディオデコーダ、１４０…チューナ、１５０…復調器、１６０…マスタークロック発信器、１７０…ＳＴＣクロック生成部。
【図１】
2011234118.tif 000003
【図２】
2011234118.tif 000004
【図３】
2011234118.tif 000005